(57)【要約】【課題】  本考案は、マグカップ等カップにスプーンを入れたまま飲み物を飲む際に、カップを傾けるとスプーンが滑り落ちてきて顔に当たったりする為、指等でスプーンを押さえながら飲まなければならなかった不便さを、本スプーンホルダーを用いることで、カップを傾けてもスプーンをカップに確実に固定し、快適に飲むことを可能にする。【解決手段】  本考案は、曲げ伸ばし自在なカラー針金等針金等適宜素材で本体６を形成し、カップの持ち手１を中心軸にカップの縁３を利用して、本体６をカップに装着することで、カップを傾けてもスプーンを確実に固定できる。さらに実施例１〜４等に見るように適宜な構造や、様々なデザインを手軽に付加することが可能で、上述の問題を解決して生活利便に役に立つだけでなく、生活をより豊かなものにできる。【選択図】  図１
0003115460.tif 000002
【実用新案登録請求の範囲】
【請求項１】
カップの持ち手１を中心軸にして、カップの縁３を利用して、マグカップや珈琲カップ、ティーカップ等カップ７に装着し、カップを傾けてもスプーン５を確実に固定できるスプーンホルダー。
【請求項２】
請求項１の本体６を曲げ伸ばし自在なカラー針金等針金等適宜素材で作った、請求項１のスプーンホルダー。
【考案の詳細な説明】
【技術分野】
【０００１】  本考案は、マグカップ等カップの持ち手１を中心軸に、カップの縁３を利用して、カップを傾けてもスプーンを固定できる、スプーンホルダーである。
【背景技術】
【０００２】  カップにスプーンを入れたまま飲み物を飲む際に、カップを傾けると、スプーンが滑り落ちて顔に当たる為、不便だった。その為、カップに溝を設けたり、カップの縁３にスプーンの固定器具を装着させていた。しかし使いやすく、且つ、カップへの取り付け及び取り外しが楽にでき、低コストで作製できるものがなかった。
【考案の開示】
【考案が解決しようとする課題】
【０００３】  マグカップや珈琲カップ、ティーカップ等、特にソーサーのないカップ７で、飲み物を飲む際、砂糖やミルク等を掻き混ぜる為等に使用するスプーン５を、カップに入れたまま飲む人も多い。その際にカップを傾けると、スプーンが滑り落ちてきて顔に当たる為、指等でスプーンを押さえながら飲まなければならず不便だった。従って、本スプーンホルダー６は、マグカップ等カップ７の持ち手１を中心軸にして、カップの縁３を利用して固定するので、カップを傾けてもスプーンが滑り落ちることがないことで、前述の欠点を解決するものである。
【課題を解決するための手段】
【０００４】  本考案は、カップの持ち手１を中心軸にして、カップの縁３を利用して、マグカップや珈琲カップ、ティーカップ等カップ７に本スプーンホルダー６を装着することで、スプーン５を固定できる。本体６は、曲げ伸ばし自在なカラー針金等針金等適宜素材を用いて、手軽に、例えば実施例１〜４のような美しい形状に、生活をより豊かにする構造に作製することができる。従って、指等でスプーンを押さえながら飲まなければならなかった欠点等を解決している。
【考案の効果】
【０００５】  上述の様に、本考案のスプーンホルダー６は、マグカップ等カップで飲み物を飲む際、スプーン５を本スプーンホルダー６を用いて、カップ７の持ち手付近に、確実に固定することを可能にし、スプーン５が滑り落ちて顔に当たったり、指等でスプーン５を押さえながら飲まなければならない不便さを改良している。その為形態によっては、特に子どもや高齢者が安全に飲用できるので、生活に役立ち、利便性が高い。又、取り付け及び取り外しが簡単にできるので、使いたい時には手軽にスプーンを使用でき、且つ、スプーンやカップを速やかに洗浄できる。さらに、安価で曲げ伸ばし自在なカラー針金等針金等適宜素材で作る為、手軽に低コストで作製することを可能にした。従って、生活利便に役立つことができる。
【考案を実施するための最良の形態】
【０００６】  カップの持ち手１を中心軸にカップの縁３を利用して、マグカップや珈琲カップ、ティーカップ等カップ７に装着し、スプーン５を確実に固定できるスプーンホルダー本体６を、曲げ伸ばし自在なカラー針金等針金等適宜素材で作る。従って、構造は、例えば実施例１〜４のように、様々な適宜形態が可能である。さらに、デザイン的に様々な美しさや楽しさを付加することも可能である。【０００７】  曲げ伸ばし自在なカラー針金等針金等適宜素材の端部は、適宜キャップ等１１で保護する。
【実施例】
【０００８】  以下、本考案を限定することを目的としない、本考案の実施例を図面に従い説明する。
実施例１  以下、添付図面１に従い実施例１を説明する。スプーンホルダー本体６を、曲げ伸ばし自在なカラー針金等針金等適宜素材で図１のように形成する。カップの側面上に伸ばした２本の足でカップの持ち手１を挟み、カップの縁３に引っかけることで装着させ、カップの内側に作った突起部１３でスプーンを固定できる構造にする。さらに、曲げ伸ばし自在なカラー針金等針金等適宜素材の端部は、適宜キャップ等１１で保護する。【０００９】  実施例２  以下、添付図面２に従い実施例２を説明する。スプーンホルダー本体６を、曲げ伸ばし自在なカラー針金等針金等適宜素材で図２のように形成する。カップの持ち手１を上から挟む構造８で本体６を固定し、カップの縁３からカップの内側に出した突起部１５でスプーン５を固定できる構造にする。従って、突起部１５は、開口している。さらに、曲げ伸ばし自在なカラー針金等針金等適宜素材の端部は、適宜キャップ等１１で保護する。【００１０】  実施例３  以下、添付図面３に従い実施例３を説明する。スプーンホルダー本体６を、曲げ伸ばし自在なカラー針金等針金等適宜素材で図３のように形成する。カップの持ち手１を上から挟む構造８で本体６を固定し、カップの縁３からカップの上に出した突起部１６でスプーン５を固定できる構造にする。突起部１６は、閉口していて、ハート形である為、デザイン的にも美しく楽しい。さらに、曲げ伸ばし自在なカラー針金等針金等適宜素材の端部は、適宜キャップ等１１で保護する。【００１１】  実施例４  以下、添付図面４に従い実施例４を説明する。スプーンホルダー本体６を、曲げ伸ばし自在なカラー針金等針金等適宜素材で図４のように形成する。カップの持ち手１に本体６の端部を引っかけ、カップの縁３の付近で輪１７を作って、その輪１７にスプーン５を通すことでスプーン５を固定でき、本体６のもう一方の端部をカップの縁３に引っかけて、本体６をカップ７に装着させる構造にする。さらに、曲げ伸ばし自在なカラー針金等針金等適宜素材の端部は、適宜キャップ等１１で保護する。【００１２】  本考案の一実施例は上述の如き構成からなるものであるから、カップを傾けても、スプーンをカップに確実に固定でき、且つ、取り付け及び取り外しが簡単で使いやすい、スプーンホルダーを可能にした。
【図面の簡単な説明】
【００１３】
【図１】本スプーンホルダーの実施例１の斜視図
【図２】本スプーンホルダーの実施例２の斜視図
【図３】本スプーンホルダーの実施例３の斜視図
【図４】本スプーンホルダーの実施例４の斜視図
【符号の説明】
【００１４】  １  カップの持ち手
３  カップの縁
５  スプーン
６  スプーンホルダー本体
７  マグカップや珈琲カップ、ティーカップ等カップ
８  カップの持ち手１を上から挟む構造
１１  適宜キャップ等
１３  カップの縁３の内側に作った突起部
１５  カップの縁３の内側に出した突起部
１６  カップの縁３の上に出した突起部
１７  輪
【図１】
0003115460.tif 000003
【図２】
0003115460.tif 000004
【図３】
0003115460.tif 000005
【図４】
0003115460.tif 000006
【手続補正書】
【提出日】平成17年2月9日(2005.2.9)
【手続補正１】
【補正対象書類名】実用新案登録請求の範囲
【補正対象項目名】全文
【補正方法】変更
【補正の内容】
【実用新案登録請求の範囲】
【請求項１】
カップの持ち手１を中心軸にして、カップの縁３を利用して、マグカップや珈琲カップ、ティーカップ等カップ７に装着し、スプーン５を固定できるスプーンホルダー。
【請求項２】
請求項１のスプーンホルダー本体に、図１のように、スプーン５を固定する為の１３のような突起部を装着した、請求項１のスプーンホルダー。
【請求項３】
請求項１のスプーンホルダー本体に、図２、３のように本体６を固定する為に、持ち手１を上から挟む８のような構造を装着した、請求項１のスプーンホルダー。
【請求項４】
請求項１、３のスプーンホルダー本体に、図２のように、スプーン５を固定する為の１５のような突起部を装着した、請求項１、３のスプーンホルダー。
【請求項５】
請求項１、３のスプーンホルダー本体に、図３のように、スプーン５を固定する為の１６のような突起部を装着した、請求項１、３のスプーンホルダー。
【請求項６】
請求項１のスプーンホルダー本体に、図４のように、スプーン５を固定する為の１７のような輪を装着した、請求項１のスプーンホルダー。
【請求項７】
請求項１の本体６を曲げ伸ばし自在なカラー針金等針金等適宜素材で作った、請求項１、２、３、４、５、６のスプーンホルダー。
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
カップの持ち手１を中心軸にして、カップの縁３を利用して、マグカップや珈琲カップ、ティーカップ等カップ７に装着し、スプーン５を固定できるスプーンホルダー。
【請求項２】
請求項１のスプーンホルダーで、カップの持ち手１を挟んで、カップの外側面に沿ってスプーンを挟める適宜な幅に離して２本の垂直部を持ち、２本の垂直部のそれぞれの上端がカップの縁３に引っかかるようカップの内側に曲がり、それぞれの曲がった端部が水平に延長され、延長端が突起部１３を形成して下方に湾曲し、２本がカップの内側面に沿って連結して一体化した、請求項１のスプーンホルダー。
【請求項３】
請求項１のスプーンホルダーで、カップの持ち手１とカップとの連結部の上端に引っかける為の凸型の湾曲部を持ち、湾曲部から垂下する２つの下端が連結部を囲んで外れにくくするよう内側に括れた構造を装着した、請求項１のスプーンホルダー。
【請求項４】
請求項１、３のスプーンホルダーで、請求項３の湾曲部と括れを持つ構造の２つの端部が上向きに湾曲し、それぞれカップの外側面に沿ってカップの縁３まで延長され、延長端がカップの縁３に引っかかるようにカップの内側に曲がり、それぞれスプーンを固定できる適度な長さの突起部１５を持つ、請求項１、３のスプーンホルダー。
【請求項５】
請求項１、３のスプーンホルダーで、請求項３の湾曲部と括れを持つ構造の２つの端部が上向きに湾曲し、それぞれカップの外側面に沿ってカップの縁３まで延長され、２つの延長端がカップの縁３の上方で交差し、交点とカップの縁３との間の空隙部にスプーンを固定できる、請求項１、３のスプーンホルダー。
【請求項６】
請求項１のスプーンホルダーで、カップの持ち手１にスプーンホルダーを引っかけて固定するための下向きのフック部を持ち、フック部の上端部がカップの縁３まで延長され、その延長端が輪１７を形成し、輪の内側の空隙部にスプーンを固定できる、請求項１のスプーンホルダー。
【請求項７】
請求項１のスプーンホルダーを曲げ伸ばし自在なカラー針金等針金等適宜素材で作った、請求項１、２、３、４、５、６のスプーンホルダー。